(57)【要約】      （修正有）【課題】表示装置本体を支持脚と支持部とにより同一の面で支持することで表示装置本体の支持を安定的に行うことができる表示装置及びテレビジョン受信機を提供する。【解決手段】映像を表示する表示パネル２の周縁部を前側から取り囲む枠型のフロントキャビネット１１と、フロントキャビネット１１の後側を覆う箱型のリアキャビネット１２とを備える表示装置において、リアキャビネット１２の下部には、後側に張り出し、音声出力装置を収容するための収容部が設けられ、リアキャビネット１２の下端の前側に設けられた支持脚４と、収容部の下面に垂設された支持部とを備え、該支持脚４及び支持部により支持する。【選択図】図１
2015136101.tif 000002
【特許請求の範囲】
【請求項１】
映像を表示する表示パネルの周縁部を前側から取り囲む枠型のフロントキャビネットと、前記フロントキャビネットの後側を覆う箱型のリアキャビネットとを備える表示装置において、
前記リアキャビネットの下部には、後側に張り出し、音声出力装置を収容するための収容部が設けられ、
前記リアキャビネットの下端の前側に設けられた支持脚と、前記収容部の下面に垂設された支持部とを備え、
該支持脚及び支持部により支持されていることを特徴とする表示装置。
【請求項２】
前記支持脚は、
前記リアキャビネットを支持する脚部部材の間に架設されており、下向きに凸に湾曲している円弧状の基部と、
該基部の上面から上向きに突出する突出部と
を備えることを特徴とする請求項１に記載の表示装置。
【請求項３】
前記突出部は、後側に向かって下方に傾斜する上面を有していることを特徴とする請求項１又は請求項２に記載の表示装置。
【請求項４】
前記フロントキャビネットと前記リアキャビネットとの間で前記フロントキャビネットの背面を覆う被覆部材と、
該被覆部材の下端と前記支持脚とを連結する連結部材と
を備え、
該連結部材は、前記音声出力装置の一側部に配置されていることを特徴とする請求項１から請求項３のいずれか１つに記載の表示装置。
【請求項５】
前記連結部材は、前記リアキャビネットの背面に固定された背面部と、
前記支持脚の上面に固定された底面部と、
前記背面部の一側端部に、前記底面部及び背面部に対して垂直方向に連設された連設部と
を備え、
該連設部は、前記リアキャビネットに対して位置決めするリブを備え、
前記リアキャビネットは、該リブを挿入することが可能な開口部を備えることを特徴とする請求項４に記載の表示装置。
【請求項６】
前記リアキャビネットには、前記開口部を覆う蓋部が設けられていることを特徴とする請求項５に記載の表示装置。
【請求項７】
前記音声出力装置は複数であり、
前記連結部材は、複数の音声出力装置の間に配置され、
前記フロントキャビネット又はリアキャビネットは、前記音声出力装置の一側部から音声を出力するための開口部を備えることを特徴とする請求項４に記載の表示装置。
【請求項８】
開口部を有し、前記連結部材の上端に連設してある開口連設部を備え、
該開口連設部は前記被覆部材に当接してあることを特徴とする請求項４から請求項７のいずれか１つに記載の表示装置。
【請求項９】
請求項１から８のいずれか一つに記載の表示装置と、
テレビジョン放送を受信する受信部とを備え、
前記受信部で受信したテレビジョン放送に基づいて前記表示装置で映像を表示するようにしてあることを特徴とするテレビジョン受信機。
【発明の詳細な説明】
【技術分野】
【０００１】
本発明は、表示画面を起立状態で支持する支持構造を備える表示装置及びテレビジョン受信機に関する。
【背景技術】
【０００２】
液晶表示装置等の薄型の表示装置は、映像を表示する表示パネルの周縁部を前側から取り囲む枠型のフロントキャビネットと、フロントキャビネットの後側を覆う箱型のリアキャビネットと、リアキャビネットに収容されたスピーカボックスとを備える。表示装置は更に据え置きとして使用する際起立状態で支持するスタンドを備える。
【０００３】
近年の表示装置においては良質の音声を出力する大口径のスピーカボックスが望まれているため、スピーカボックスは大型となる。このため、大型のスピーカボックスを取り付けることができる表示装置が広く採用されている。
【０００４】
例えば特許文献１に記載の表示装置（プラズマディスプレイ）は、床面に載置された平板状のスタンドベース上に、大型のスピーカボックスを取り付けるスペースを設けることができるコの字状の支持ブロックを取り付け、取り付けた支持ブロックの上部にスタンドベースに略平行となるように表示装置を保持する支持柱を有する横長形状の保持板を取り付けることにより構成されている。
【先行技術文献】
【特許文献】
【０００５】
【特許文献１】特開２００２−２１８３５８号公報
【発明の概要】
【発明が解決しようとする課題】
【０００６】
しかし、特許文献１に記載の表示装置は、保持板とスピーカボックスの下面との間に段差が存在するため、平面上に載置した場合、安定的に支持することが難しいという問題があった。
【０００７】
本発明は斯かる事情に鑑みてなされたものであり、その目的とするところは、表示装置本体を支持脚と支持部とにより同一の面で支持することで表示装置本体の支持を安定的に行うことができる表示装置及びテレビジョン受信機を提供することにある。
【課題を解決するための手段】
【０００８】
本発明に係る表示装置は、映像を表示する表示パネルの周縁部を前側から取り囲む枠型のフロントキャビネットと、前記フロントキャビネットの後側を覆う箱型のリアキャビネットとを備える表示装置において、前記リアキャビネットの下部には、後側に張り出し、音声出力装置を収容するための収容部が設けられ、前記リアキャビネットの下端の前側に設けられた支持脚と、前記収容部の下面に垂設された支持部とを備え、該支持脚及び支持部により支持されていることを特徴とする。
【０００９】
本発明に係る表示装置は、前記支持脚は、前記リアキャビネットを支持する脚部部材の間に架設されており、下向きに凸に湾曲している円弧状の基部と、該基部の上面から上向きに突出する突出部とを備えることを特徴とする。
【００１０】
本発明に係る表示装置は、前記突出部は、後側に向かって下方に傾斜する上面を有していることを特徴とする。
【００１１】
本発明に係る表示装置は、前記フロントキャビネットと前記リアキャビネットとの間で前記フロントキャビネットの背面を覆う被覆部材と、該被覆部材の下端と前記支持脚とを連結する連結部材とを備え、該連結部材は、前記音声出力装置の一側部に配置されていることを特徴とする。
【００１２】
本発明に係る表示装置は、前記連結部材は、前記リアキャビネットの背面に固定された背面部と、前記支持脚の上面に固定された底面部と、前記背面部の一側端部に、前記底面部及び背面部に対して垂直方向に連設された連設部とを備え、該連設部は、前記リアキャビネットに対して位置決めするリブを備え、前記リアキャビネットは、該リブを挿入することが可能な開口部を備えることを特徴とする。
【００１３】
本発明に係る表示装置は、前記リアキャビネットには、前記開口部を覆う蓋部が設けられていることを特徴とする。
【００１４】
本発明に係る表示装置は、前記音声出力装置は複数であり、前記連結部材は、複数の音声出力装置の間に配置され、前記フロントキャビネット又はリアキャビネットは、前記音声出力装置の一側部から音声を出力するための開口部を備えることを特徴とする。
【００１５】
本発明に係る表示装置は、開口部を有し、前記連結部材の上端に連設してある開口連設部を備え、該開口連設部は前記被覆部材に当接してあることを特徴とする。
【００１６】
本発明に係るテレビジョン受信機は、上述の表示装置と、テレビジョン放送を受信する受信部とを備え、前記受信部で受信したテレビジョン放送に基づいて前記表示装置で映像を表示するようにしてあることを特徴とする。
【発明の効果】
【００１７】
本発明によれば、表示装置本体の支持を安定的に行うことができる。
【図面の簡単な説明】
【００１８】
【図１】テレビジョン受信機の構成の一例を示す外観斜視図である。
【図２】表示装置の分解斜視図である。
【図３】連結部材を示す外観斜視図である。
【図４】スタンドを示す外観斜視図である。
【図５】連結部材に取り付けたスタンドを示す外観斜視図である。
【図６】リアキャビネットに取り付けた連結部材及びスタンドを示す外観斜視図である。
【図７】リアキャビネットを下方から見た外観斜視図である。
【図８】蓋部の裏面を示す外観斜視図である。
【図９】フロントキャビネットの取付部を覆う蓋部を取り外した状態を示す外観斜視図である。
【図１０】実施の形態２に係る表示装置を示す正面図である。
【図１１】図１０に示す表示装置からフロントキャビネットを取り外した状態を示す正面図である。
【図１２】実施の形態２に係る表示装置の側面図である。
【図１３】実施の形態２に係る表示装置に装備されるスピーカボックスの背面斜視図である。
【発明を実施するための形態】
【００１９】
実施の形態１
以下、本発明をその実施の形態を示す図面に基づいて詳述する。以下の説明では各図中の上下、左右を使用する。
【００２０】
図１はテレビジョン受信機の構成の一例を示す外観斜視図である。図１に示すように、表示装置は画像表示面に映像を表示する液晶パネル（表示パネル）２と、液晶パネル２を収容する箱型のキャビネット１とを備える。キャビネット１は液晶パネル２の周縁部を前側から取り囲むフロントキャビネット１１と、フロントキャビネット１１の後側を覆うリアキャビネット１２とを備える。
【００２１】
表示装置は、バックライトシャーシ７（図６参照）の背面に取付けた受信部２１及び信号処理部２２を備えるテレビジョン受信機として構成されている。受信部２１は、図示しないアンテナに接続され、該アンテナを介してテレビジョン放送を受信する。信号処理部２２は、受信部２１が受信したテレビジョン放送に係るデータを復調し、復調したデータから画像データを分離し、分離した画像データを出力する。液晶パネル２は、信号処理部２２が出力した画像データに基づく画像を画像表示面に表示する。
【００２２】
図２は表示装置の分解斜視図である。なお、液晶パネル２、光学部材、後述するバックライトシャーシ７等は省略されている。フロントキャビネット１１は、矩形に開口する表示窓１１０が開設してある枠体である。液晶パネル２は、表示面を表示窓１１０の前面に向けてフロントキャビネット１１に保持されている。リアキャビネット１２の下部には後側に張り出したスピーカ収容部（収容部）１２１が設けられている。このスピーカ収容部１２１は、表示装置としての設置時に下位置となる部分であり、左右両側に音声出力のための一対のスピーカボックス（音声出力装置）３、３等を含む種々の周辺機器の配置スペースを提供すべく設けてある。リアキャビネット１２の左右両側の下端には、取付部１２４が設けられている。取付部１２４の側面部は半円状をなし、該取付部１２４には前端から後端に沿って開口された矩形状の開口部１２３が設けられている。
【００２３】
スピーカボックス３、３は蓋部１３で覆われているフロントキャビネット１１の前面下部に取り付けられている。
【００２４】
表示装置は、更にスタンド（支持脚）４を備えている。スタンド４は、連結部材（図３参照）５を介して、取り付けられている。なお、本実施形態における縦とはスタンド４を表示装置に取り付けて載置面上で支持した場合、上下となる方向であり、横とは左右となる方向である。
【００２５】
図３は連結部材５を示す外観斜視図である。連結部材５は矩形の板状をなす背面部５１と、該背面部５１の下端に該背面部５１に対して垂直に連設された底面部５４とを備え、全体としてＬ字状をなしている。連結部材５はさらに背面部５１の両側端部に、底面部５４と同じ側に垂直方向に連設された連設部５２、５３を備え、該背面部５１の上端に該背面部５１に対して平行に連設された当接板（開口連設部）５５とを備える。
【００２６】
連設部５２は矩形の板状をなす。連設部５３は半円状をなし、上下方向の中央部に前端から後端に沿って左側に突出した位置決めリブ５３１を備える。位置決めリブ５３１は開口部１２３に対応しており、位置決めリブ５３１の上下方向の幅は開口部１２３の上下方向の幅と略同じである。底面部５４は矩形の板状をなし、背面部５１の連設側と反対側の辺付近の左部及び右部に開口された孔５４１、５４１と、背面部５１の連設側に近い位置に左右方向の位置が２つの孔５４１の間に位置した孔５４３と、前後方向の位置が孔５４３と孔５４１との中央部に位置するネジ孔５４２とを備える。当接板５５は中央部より左上の角に近い位置に開口された矩形状の開口部５５１と、上端付近に設けられたネジ孔５５２とを備える。
【００２７】
図４はスタンド４を示す外観斜視図である。スタンド４は下向きに凸に湾曲している円弧状の基部４４と、左右方向の両端に設けられた脚部部材４３と、基部４４の上面から上向きに突出する突出部４１とを備える。基部４４は脚部部材４３同士を連結している。突出部４１は縦断面視矩形状をなしている。突出部４１の上面は後側に向かって下向きに傾斜し、右辺の両側から上向きに突出する突出部４２ａ、４２ａと、左辺の中央部から上向きに突出する突出部４２ｂと、左右方向の位置が突出部４２ｂと突出部４２ａとの中央部に位置するネジ通し孔４２ｃとを備える。
【００２８】
図５は連結部材５に取り付けたスタンド４を示す外観斜視図である。図５に示すように、スタンド４を連結部材５に取り付ける方法は以下の通りである。スタンド４は連結部材５の下部に左右方向の位置が合うように近づけて孔５４１、５４１に突出部４２ａ、４２ａを嵌め合わせ、ネジ通し孔４２ｃを介してネジ孔５４２にネジ４６を螺入することで連結部材５に取り付けることができる。
【００２９】
図６はリアキャビネット１２に取り付けた連結部材５及びスタンド４を示す外観斜視図である。リアキャビネット１２に連結部材５を取り付ける方法は以下の通りである。図６に示すように連結部材５はリアキャビネット１２の下端の角部に近づけて開口部１２３に位置決めリブ５３１を挿入することにより位置決めし、矩形状のバックライトシャーシ（被覆部材）７の背面の角部を当接板５５に当接し、バックライトシャーシ７の一短辺の下端に設けられたネジ通し孔（図示せず）を通してネジ孔５５２にネジ７１を螺入することにより、リアキャビネット１２の背面に背面部５１を固定し、スタンド４の上面に底面部５４を固定し、バックライトシャーシ７に取り付けることができる。連結部材５は前述した方法によりスタンド４を取り付けることでスタンド４とバックライトシャーシ７の下端とを連結することができる。
【００３０】
バックライトシャーシ７の前面の下端には、両面テープによりソース基板（図示せず）が固定されている。ソース基板は、液晶パネル２を駆動するための基板の１つで、液晶パネル２とＦＰＣ（Flexible Printed Circuits）によって接続されている。開口部５５１
はバックライトシャーシ７の下端に設けられ、液晶パネル２を駆動させるためのソース基板に接続されたハーネス６をバックライトシャーシ７の下端に設けられた開口部５５１及び開口部５５１を介して後面に延出することで配線処理をしている。
【００３１】
図７はリアキャビネット１２を下方から見た外観斜視図である。スピーカ収容部１２１の下面には、左右両側に各２つずつ垂設された支持部１２２を備える。支持部１２２は矩形枠状の周縁部と、該周縁部の内側に配置された直方体状の支持部材とを備える。スタンド４はさらに脚部部材４３の下面から垂設された支持部材４５を備える。支持部材４５は直方体状であり、表示装置を載置した場合、支持部１２２と同一の面にある。表示装置は、載置面上に設けられた支持部材４５及び支持部１２２を同一の面で支持し、液晶パネル２の画像表示面を縦姿勢に保って使用される。
【００３２】
図８は蓋部１４の裏面を示す外観斜視図である。図９はフロントキャビネット１１（一部のみ図示）の取付部１１１を覆う蓋部１４を取り外した状態を示す外観斜視図である。図８に示すように、蓋部１４は円状であり、可撓性を有している。蓋部１４の裏面には周面部付近に係止部１４１、１４１を備える。係止部１４１は爪状であり、係止部１４１の先端には前後方向に突出する突出部を備える。係止部１４１の夫々は上下方向に対向した位置に設けられている。
【００３３】
蓋部１４で覆われているフロントキャビネット１１の下方における角部に設けられた取付部１１１の側面には左右方向の中央部に位置する縁部に開口部１４２、１４２が設けられている。開口部１４２、１４２は係止部１４１、１４１に対応した位置に設けられている。
【００３４】
蓋部１４をフロントキャビネット１１に取り付ける方法は以下の通りである。蓋部１４は、係止部１４１、１４１を開口部１４２、１４２に位置合わせし撓ませ、開口部１４２、１４２の側面から挿入し、撓ませた係止部１４１、１４１を元に戻すことにより開口部１４２、１４２に係止部１４１、１４１の突出部が係止されることで、開口部１２３、１２３を覆い、フロントキャビネット１１に取り付けることができる。
【００３５】
本実施形態によれば、表示装置本体をスタンド４に垂設された支持部材４５と支持部１２２とにより同一の面で支持することで、表示装置本体の支持を安定的に行うことができる。リアキャビネット１２の下部に後側に張り出したスピーカ収容部１２１を設けることによって、表示装置の全体の印象を保ったまま、大型のスピーカボックス３を表示装置内に収容することができる。また、後側への張り出しであるので、表示装置全体の台座の一部を構成することができ、他の部材によって後側への支え構造が不要になる。また、リアキャビネット１２の下端の前側にスタンド４を設けることによって、リアキャビネット１２と一体に前面の台座構造を作ることができる。また、スピーカ収容部１２１の下面に支持部１２２を備えることによって、大きく張り出したスピーカ収容部１２１全体が、床に接することがないので、スピーカ収容部１２１に若干の歪みがあっても安定して表示装置を支持することができる。
【００３６】
本実施形態によれば、大型のスピーカボックス３を搭載し、外観上もスピーカボックス３が搭載されていることを印象付ける形態とすると、表示装置の正面側からスタンド４が目立ってしまうため、大型スピーカボックス３の印象が薄くなってしまう。そのために、正面側に突出しながら全体の印象を壊さない形状のスタンド４が求められる。スピーカボックス３を覆う蓋部１３の正面側を印象を深くするために、円筒状とする場合、円筒形状を表示装置の側面まで形成することがある。その際、側面からは円筒の端が若干突出している形状となる。ここで、通常のスタンド構造を適用しようとすると、スタンド４の脚によって、円筒の脚を寸断する形となり、せっかくのデザインが保てなくなってしまう。そのため、キャビネット１の円筒形状を保ちつつ、スタンド４としての脚形状とその強度を保つ構造が必要であった。スタンド４は、剛性のある金属で成形された下向きに凸に湾曲している円弧状の基部４４を持ち、その端部を脚部部材４３とすることによって、キャビネット１の円筒形状を凸に湾曲によって迂回し、表示装置正面方向に十分な大きさの脚を出すことが可能となった。正面から見たスタンド４の脚は、キャビネット１の円筒形状を凸に湾曲によって迂回した基部４４から出されるため、円筒のデザイン性を損なうことなくスタンド４の機能を発揮することができる。
【００３７】
本実施形態によれば、突出部４１の上面は後側に向かって下向きに傾斜している。表示装置はスタンド４を連結部材５を介してリアキャビネット１２に取り付けることにより、液晶パネル２をスタンド４に対して傾斜して設置することができる。このことにより、表示装置より高い位置から表示装置を見た場合、視線を見下ろすため表示装置と目線が直交するため見やすくなる。スタンド４の基部４４とバックライトシャーシ７は連結部材５を介して固定されるわけであるが、基部４４が凸に湾曲した形状であるので、それに対応した連結部材５を作ると、基部４４と連結部材５の接する面がすべて曲面となってしまうため、部品の精度管理の点で問題がある。そのため、湾曲した部材と通常の柱状に近い部材を安定して固定する構造が求められていた。また、表示装置の表示面を若干後に傾けた製品の場合、その傾きは、バックライトシャーシ７とスタンド４との傾きとなる。そのため、スタンド４と連結部材５の結合部分で、その傾きを管理できると生産性の点で有利である。そこで、基部４４から突出する突出部４１を直方体形状とし、板形状よりも剛性を高めることによって、傾き角度の管理を容易にする。
【００３８】
本実施形態によれば、開口部１２３に位置決めリブ５３１を挿入することにより連結部材５をリアキャビネット１２に位置決めすることで、連結部材５を容易に取り付けることができるため、表示装置全体の組み立てが容易にできる。スタンド４とバックライトシャーシ７は連結部材５を介して固定される。また、スタンド４がデザイン性のために側面に配置された場合には、連結部材５をキャビネット１の位置決めとして使う場合もある。連結部材５は、バックライトシャーシ７に固定されることから、バックライトシャーシ７と同様の位置精度を持つからである。表示装置の重量の一部は、リアキャビネット１２の一部で支え、他の部分は、連結部材５を介してスタンド４で支えられる。そのため、連結部材５の強度が問題となる。そのため、全体を略コの字形状としている。また、リアキャビネット１２に当接する部分については、キャビネット１の一部を切り欠き、連結部材５の側面を対応する凸構造とすることで、キャビネット１の位置決め構造としている。このように、スタンド４とバックライトシャーシ７の固定を仲介する連結部材５の形状を変えることで、連結部材５の強度をアップしつつ、キャビネット１の位置決めを行うことができ、強度アップのために補強部材を用いたり、リアキャビネット１２の位置決めのために別部材を用いる必要がなく、部品点数の削減、重量の削減、作業性の向上に寄与している。
【００３９】
本実施形態によれば、表示装置は開口部１２３、１２３を蓋部１４で覆うことにより、見栄えが良くなる。
【００４０】
本実施形態によれば、表示装置は開口部５５１からハーネス６を延出することで配線処理をすることができる。
【００４１】
実施の形態２
図１０は、実施の形態２に係る表示装置の正面図、図１１は、図１０に示す表示装置からフロントキャビネット１１を取り外した状態を示す正面図、図１２は、実施の形態２に係る表示装置の側面図である。実施の形態２に係る表示装置は、左右方向の中央部に設けた単一のスタンド４により支持されている。スタンド４は、図１１に示すように、左右一対のスピーカボックス３、３の間に夫々の連結部材５、５により連結固定されており、図１０に示すように、スピーカボックス３、３夫々の前側を覆う左右の蓋部１３、１３間に配置されている。
【００４２】
蓋部１３、１３の左右両側の端部は、実施の形態１と同様に、各別の蓋部１４、１４により覆われている。図１２には、一側の蓋部１４が示されており、該蓋部１４には、円形断面を有する開口部１４３が設けられている。開口部１４３は、他側の蓋部１４にも同様に設けられており、これらの開口部１４３、１４３は、夫々の側のスピーカボックス３、３の収容部に連通している。
【００４３】
図１３は、実施の形態２に係る表示装置に装備されるスピーカボックス３の背面斜視図である。本図に示す如くスピーカボックス３は、一側面に開口する円形断面のバスレフポート３２を備えている。図１１に示されたスピーカボックス３の前面には、振動板を振動させて音声を出力するスピーカが取り付けてあり、この音声出力の一部は、スピーカボックス３の内部に設けられた音声出力筒（図示せず）を経てバスレフポート３２に送り出される。バスレフポート３２は、左右のスピーカボックス３、３の夫々に設けられており、これらのスピーカボックス３は、左右の蓋部１４に設けた開口部１４３に夫々のバスレフポート３２を対向させて収容部内に取り付けてある。
【００４４】
本実施形態によれば、スピーカボックス３、３を左右の両端部に設けることができ、ステレオ感が強調された良質の音声出力を得ることができる。また、バスレフポート３２、３２からの前述した音声出力は、夫々に対向する開口部１４３、１４３を経て左右に送り出されるから、音声出力の干渉を有効に防止し、更なる音質の向上を図ることができる。更に、中央に配置した単一のスタンド４により表示装置を支持するから、安定した支持状態を保ちつつ部品点数及び組み立て工数の削減を図ることができる。
【００４５】
本実施の形態に係る表示装置は、映像を表示する液晶パネル２の周縁部を前側から取り囲む枠型のフロントキャビネット１１と、前記フロントキャビネット１１の後側を覆う箱型のリアキャビネット１２とを備える表示装置において、前記リアキャビネット１２の下部には、後側に張り出し、音声出力装置３を収容するためのスピーカ収容部１２１が設けられ、前記リアキャビネット１２の下端の前側に設けられた支持脚４と、前記収容部の下面に垂設された支持部１２２とを備え、該支持脚４及び支持部１２２により支持されていることを特徴とする。
【００４６】
本実施形態によれば、スピーカボックス３は、通常表示装置の左右についていることから、表示装置の中央部分は、スピーカボックス３に対応した形状が途切れる場合も多い。そのような場合であれば、表示装置の中央部にスタンド４を配置することによって、スピーカボックス３のデザイン性を壊すことなくスタンド４の機能を発揮できる。
【００４７】
本実施形態によれば、表示装置本体をスタンド４と支持部１２２とにより同一の面で支持することで表示装置本体の支持を安定的に行うことができる。リアキャビネット１２の下部に後側に張り出したスピーカ収容部１２１を設けることによって、表示装置の全体の印象を保ったまま、大型のスピーカボックス３を表示装置内に収容することができる。また、後側への張り出しであるので、表示装置全体の台座の一部を構成することができ、他の部材によって後側への支え構造が不要になる。また、リアキャビネット１２の下端の前側にスタンド４を設けることによって、リアキャビネット１２と一体に前面の台座構造を作ることができる。また、スピーカ収容部１２１の下面に支持部１２２を備えることによって、大きく張り出したスピーカ収容部１２１全体が、床に接することがないので、スピーカ収容部１２１に若干の歪みがあっても安定して表示装置を支持することができる。
【００４８】
本発明に係る表示装置は前記支持脚４は、前記リアキャビネット１２を支持する脚部部材４３の間に架設されており、下向きに凸に湾曲している円弧状の基部４４と、該基部４４の上面から上向きに突出する突出部４１とを備えることを特徴とする。
【００４９】
本発明に係る表示装置は前記突出部４１は、後側に向かって下方に傾斜する上面を有していることを特徴とする。
【００５０】
本実施形態によれば、突出部４１の上面は後側に向かって下向きに傾斜している。表示装置はスタンド４を連結部材５を介してリアキャビネット１２に取り付けることにより液晶パネル２をスタンド４に対して傾斜して設置することができる。このことにより、表示装置より高い位置から表示装置を見た場合、視線を見下ろすため表示装置と目線が直交するため見やすくなる。スタンド４の基部４４とバックライトシャーシ７は連結部材５を介して固定されるわけであるが、基部４４が凸に湾曲した形状であるので、それに対応した連結部材５を作ると、基部４４と連結部材５の接する面がすべて曲面となってしまうため、部品の精度管理の点で問題がある。そのため、湾曲した部材と通常の柱状に近い部材を安定して固定する構造が求められていた。また、表示装置の表示面を若干後に傾けた製品の場合、その傾きは、バックライトシャーシ７とスタンド４との傾きとなる。そのため、スタンド４と連結部材５の結合部分で、その傾きを管理できると生産性の点で有利である。そこで、基部４４から連結部材５の突出部を直方体形状とし、板形状よりも剛性を高めることによって、傾き角度の管理を容易にする。
【００５１】
本実施の形態に係る表示装置は、前記フロントキャビネット１１と前記リアキャビネット１２との間で前記フロントキャビネット１１の背面を覆う被覆部材７と、該被覆部材７の下端と前記支持脚４とを連結する連結部材５とを備え、該連結部材５は、前記音声出力装置３の一側部に配置されていることを特徴とする。
【００５２】
本実施形態によれば、開口部１２３に位置決めリブ５３１を挿入することにより連結部材５をリアキャビネット１２に位置決めすることで、連結部材５を容易に取り付けることができるため、表示装置全体の組み立てが容易にできる。
【００５３】
本発明に係る表示装置は、前記連結部材５は、前記リアキャビネット１２の背面に固定された背面部と、前記支持脚４の上面に固定された底面部５４と、前記背面部５１の一側端部に、前記底面部５４及び背面部５１に対して垂直方向に連設された連設部５３とを備え、該連設部５３は、前記リアキャビネット１２に対して位置決めするリブ５３１を備え、前記リアキャビネット１２は、該リブ５３１を挿入することが可能な開口部１２３を備えることを特徴とする。
【００５４】
本実施形態によれば、スタンド４とバックライトシャーシ７は連結部材５を介して固定される。また、スタンド４がデザイン性のために側面に配置された場合には、連結部材５をキャビネット１の位置決めとして使う場合もある、連結部材５は、バックライトシャーシ７に固定されることから、バックライトシャーシ７と同様の位置精度を持つからである。表示装置の重量の一部は、リアキャビネット１２の一部で支え、他の部分は、連結部材５を介してスタンド４で支えられる。そのため、連結部材５の強度が問題となる。そのため、全体を略コの字形状としている。また、リアキャビネット１２に当接する部分については、キャビネット１の一部を切り欠き、連結部材５の側面を対応する凸構造とすることで、キャビネット１の位置決め構造としている。このように、スタンド４とバックライトシャーシ７の固定を仲介する連結部材５の形状を変えることで、連結部材５の強度をアップしつつ、キャビネット１の位置決めを行うことができ、強度アップのために補強部材を用いたり、リアキャビネット１２の位置決めのために別部材を用いる必要がなく、部品点数の削減、重量の削減、作業性の向上に寄与している。
【００５５】
本実施の形態に係る表示装置は、前記リアキャビネット１２には、前記開口部１２３を覆う蓋部１４が設けられていることを特徴とする。
【００５６】
本実施形態によれば、表示装置は開口部１２３、１２３を蓋部１４で覆うことにより、見栄えが良くなる。
【００５７】
本実施の形態に係る表示装置は、音声出力装置３は複数であり、前記連結部材５は、複数の音声出力装置３の間に配置され、フロントキャビネット１１又はリアキャビネット１２は、前記音声出力装置３の一側部から音声を出力するための開口部１４３を備えることを特徴とする。
【００５８】
本実施形態によれば、スピーカボックス３、３を左右の両端部に設けることができ、ステレオ感が強調された良質の音声出力を得ることができる。また、バスレフポート３２、３２からの前述した音声出力は、夫々に対向する開口部１４３、１４３を経て左右に送り出されるから、音声出力の干渉を有効に防止し、更なる音質の向上を図ることができる。更に、中央に配置した単一のスタンド４により表示装置を支持するから、安定した支持状態を保ちつつ部品点数及び組み立て工数の削減を図ることができる。
【００５９】
本実施の形態に係る表示装置は、開口部５５１を有し、前記連結部材５の上端に連設してある開口連設部５５を備え、該開口連設部５５は前記被覆部材７に当接してあることを特徴とする。
【００６０】
本実施形態によれば、表示装置は開口部５５１からハーネス６を延出することで配線処理をすることができる。
【００６１】
本発明に係るテレビジョン受信機は、表示装置と、テレビジョン放送を受信する受信部２１とを備え、前記受信部２１で受信したテレビジョン放送に基づいて前記表示装置で映像を表示するようにしてあることを特徴とする。
【００６２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６３】
１１    フロントキャビネット
１２    リアキャビネット
１４    蓋部
１２１  スピーカ収容部（収容部）
１２２  支持部
２      液晶パネル（表示パネル）
３      スピーカボックス（音声出力装置）
４      スタンド（支持脚）
４１    突出部
４３    脚部部材
４４    基部
５      連結部材
５１    背面部
５３    連設部
５３１  位置決めリブ
５５    当接板（開口連設部）
５５１  開口部
７      バックライトシャーシ（被覆部材）
【図１】
2015136101.tif 000003
【図２】
2015136101.tif 000004
【図３】
2015136101.tif 000005
【図４】
2015136101.tif 000006
【図５】
2015136101.tif 000007
【図６】
2015136101.tif 000008
【図７】
2015136101.tif 000009
【図８】
2015136101.tif 000010
【図９】
2015136101.tif 000011
【図１０】
2015136101.tif 000012
【図１１】
2015136101.tif 000013
【図１２】
2015136101.tif 000014
【図１３】
2015136101.tif 000015
【手続補正書】
【提出日】平成27年4月20日(2015.4.20)
【手続補正１】
【補正対象書類名】明細書
【補正対象項目名】０００８
【補正方法】変更
【補正の内容】
【０００８】
本発明に係る表示装置は、映像を表示する表示パネルの周縁部を前側から取り囲む枠型のフロントキャビネットと、前記フロントキャビネットの後側を覆う箱型のリアキャビネットとを備える表示装置において、前記リアキャビネットの下部には、後側に張り出し、音声出力装置を収容するための収容部が設けられ、前記リアキャビネットの下端の前側に設けられた支持脚と、前記収容部の下面の左右両側に各２つずつ垂設された支持部とを備え、前記支持脚は、前記リアキャビネットを支持する脚部部材の間に架設されており、下向きに凸に湾曲している円弧状の基部と、該基部の上面から上向きに突出する突出部とを備え、前記支持脚と支持部とにより同一の面で支持されていることを特徴とする。
【手続補正２】
【補正対象書類名】明細書
【補正対象項目名】０００９
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
映像を表示する表示パネルの周縁部を前側から取り囲む枠型のフロントキャビネットと、前記フロントキャビネットの後側を覆う箱型のリアキャビネットとを備える表示装置において、
前記リアキャビネットの下部には、後側に張り出し、音声出力装置を収容するための収容部が設けられ、
前記リアキャビネットの下端の前側に設けられた支持脚と、前記収容部の下面の左右両側に各２つずつ垂設された支持部とを備え、
前記支持脚は、
前記リアキャビネットを支持する脚部部材の間に架設されており、下向きに凸に湾曲している円弧状の基部と、
該基部の上面から上向きに突出する突出部とを備え、
前記支持脚と支持部とにより同一の面で支持されていることを特徴とする表示装置。
【請求項２】
前記突出部は、後側に向かって下方に傾斜する上面を有していることを特徴とする請求項１に記載の表示装置。
【請求項３】
前記フロントキャビネットと前記リアキャビネットとの間で前記フロントキャビネットの背面を覆う被覆部材と、
該被覆部材の下端と前記支持脚とを連結する連結部材と
を備え、
該連結部材は、前記音声出力装置の一側部に配置されていることを特徴とする請求項１又は請求項２に記載の表示装置。
【請求項４】
前記連結部材は、前記リアキャビネットの背面に固定された背面部と、
前記支持脚の上面に固定された底面部と、
前記背面部の一側端部に、前記底面部及び背面部に対して垂直方向に連設された連設部と
を備え、
該連設部は、前記リアキャビネットに対して位置決めするリブを備え、
前記リアキャビネットは、該リブを挿入することが可能な開口部を備えることを特徴とする請求項３に記載の表示装置。
【請求項５】
前記リアキャビネットには、前記開口部を覆う蓋部が設けられていることを特徴とする請求項４に記載の表示装置。
【請求項６】
前記音声出力装置は複数であり、
前記連結部材は、複数の音声出力装置の間に配置され、
前記フロントキャビネット又はリアキャビネットは、前記音声出力装置の一側部から音声を出力するための開口部を備えることを特徴とする請求項３に記載の表示装置。
【請求項７】
開口部を有し、前記連結部材の上端に連設してある開口連設部を備え、
該開口連設部は前記被覆部材に当接してあることを特徴とする請求項３から請求項６のいずれか１つに記載の表示装置。
【請求項８】
請求項１から７のいずれか一つに記載の表示装置と、
テレビジョン放送を受信する受信部とを備え、
前記受信部で受信したテレビジョン放送に基づいて前記表示装置で映像を表示するようにしてあることを特徴とするテレビジョン受信機。